(57)【要約】【課題】装飾効果の向上を図ることができ、また、装飾部材の発光源の状態に拘らず遊技者を惹き付け易い遊技機を提供する。【解決手段】カバー装飾部材２５は、ベース部３４と、レンズ部３５と、該レンズ部３５を覆う透光カバー部３６と、ベース部３４の両端部のうち少なくとも一端部に配置された発光源３７とを備え、ベース部３４は、レンズ部３５を収容する収容空間部３９を形成し、該収容空間部３９の区画壁３９ａには、反射処理が施されるとともに、皺状凹凸部が形成された反射部４２を備え、レンズ部３５は、その裏側に複数の光入出射面４５を形成し、表側に複数の切欠溝部４６を形成するとともに、この複数の切欠溝部４６をレンズ部３５の長手方向に並べた状態に配置し、隣り合う切欠溝部４６のうちレンズ部３５の長手方向の端部寄りに位置する切欠溝部４６の深さを、レンズ部３５の長手方向の中央寄りに位置する切欠溝部４６の深さよりも浅く設定した。【選択図】図３
2007275222.tif 000002
【特許請求の範囲】
【請求項１】
前面側に装飾部材を備えた遊技機において、
前記装飾部材は、長尺なベース部と、該ベース部の表側に配置された長尺なレンズ部と、該レンズ部を覆う状態でベース部材に止着された透光カバー部と、ベース部の長手方向の両端部のうち少なくとも一端部に配置され、光をレンズ部側へ向けて照射可能な発光源と、を備え、
前記ベース部は、その表側を凹ませてレンズ部を収容する収容空間部を形成し、該収容空間部の区画壁には、反射処理が施されるとともに、皺状凹凸部が形成された反射部を備え、
前記レンズ部は、当該レンズ部の裏側に複数の光入出射面を反射部に対向する状態で形成し、表側に複数の切欠溝部を形成するとともに、この複数の切欠溝部をレンズ部の長手方向に並べた状態に配置し、隣り合う切欠溝部のうちレンズ部の長手方向の端部寄りに位置する切欠溝部の深さを、レンズ部の長手方向の中央寄りに位置する切欠溝部の深さよりも浅く設定したことを特徴とする遊技機。
【請求項２】
前記レンズ部は、当該レンズ部を挟んで発光源とは反対側の端部に、発光源から照射された光を反射可能な反射壁部を備えたことを特徴とする請求項１に記載の遊技機。
【請求項３】
前記反射部は、収容空間部の区画壁に配置される反射シートで構成されたことを特徴とする請求項１または請求項２に記載の遊技機。
【請求項４】
前記装飾部材を複数連接し、隣り合う装飾部材の透光カバー部の連接部分の裏側にカバー接続部材を配置し、該カバー接続部材の表面には、反射処理を施すとともに、皺状凹凸部を形成したことを特徴とする請求項１から請求項３のいずれかに記載の遊技機。
【発明の詳細な説明】
【技術分野】
【０００１】
本発明は、前面側に装飾部材を備えたパチンコ遊技機等の遊技機に関する。
【背景技術】
【０００２】
従来の遊技機、例えば、パチンコ遊技機においては、その前面側に装飾ランプ等の発光可能な装飾部材（発光装置）を配置し、遊技の進行に伴って装飾部材を発光させる等して遊技演出を行うように構成されている。そして、装飾部材について、レンズ部としての複数の光路形成体を有し、光路形成体の裏面側に無数の凹状溝を当該光路形成体の長手方向と直交するように等間隔で形成し、光路形成体の上下に第１発光部材を配置するとともに、光路形成体の後方に第２発光部材を配置したものが提案されている。この装飾部材では、各発光部材からの光を光路形成体へ照射し、凹状溝を利用してこの光を反射させて装飾効果を高めたり、第１発光部材の発光と第２発光部材の発光とを切り替えることで遊技状態やエラー発生等を報知したりする（例えば、特許文献１参照）。
【特許文献１】特開２００２−２６３２６７号公報
【発明の開示】
【発明が解決しようとする課題】
【０００３】
ところで、上記特許文献に記載の装飾部材では、光を屈折させる箇所が凹状溝のみであり、この凹状溝を等間隔で規則正しく設けている。このため、装飾部材からの光が単調になりがちである。また、遊技が行われていない状態、すなわち各発光部材が消灯している状態では、遊技者を惹き付けるような派手さや華やかさを備えることができない。
【０００４】
さらに、発光部材を筒状体に収納し、この筒状体により散乱を抑えた状態で光を凹状溝へ照射しているため、装飾部材の内部全体に亘って光を照射することが困難であり、効果的な発光装飾を期待し難い。
【０００５】
そこで、本発明は、上記の事情に鑑みてなされたものであり、その目的は、装飾効果の向上を図ることができ、また、装飾部材の発光源の状態に拘らず遊技者を惹き付け易い遊技機を提供しようとするものである。
【課題を解決するための手段】
【０００６】
本発明は、上記目的を達成するために提案されたものであり、請求項１に記載のものは、前面側に装飾部材を備えた遊技機において、
前記装飾部材は、長尺なベース部と、該ベース部の表側に配置された長尺なレンズ部と、該レンズ部を覆う状態でベース部材に止着された透光カバー部と、ベース部の長手方向の両端部のうち少なくとも一端部に配置され、光をレンズ部側へ向けて照射可能な発光源と、を備え、
前記ベース部は、その表側を凹ませてレンズ部を収容する収容空間部を形成し、該収容空間部の区画壁には、反射処理が施されるとともに、皺状凹凸部が形成された反射部を備え、
前記レンズ部は、当該レンズ部の裏側に複数の光入出射面を反射部に対向する状態で形成し、表側に複数の切欠溝部を形成するとともに、この複数の切欠溝部をレンズ部の長手方向に並べた状態に配置し、隣り合う切欠溝部のうちレンズ部の長手方向の端部寄りに位置する切欠溝部の深さを、レンズ部の長手方向の中央寄りに位置する切欠溝部の深さよりも浅く設定したことを特徴とする遊技機である。
【０００７】
なお、「皺状凹凸部」とは、複数の極めて短尺な溝および突条を不規則に並べたり交差したりして密集した状態に形成した表面凹凸部を意味する。例えば、アルミ箔を一旦丸めて塊にした後に展開してシワシワになった状態と略同じ形状の凹凸部である。
【０００８】
請求項２に記載のものは、前記レンズ部は、当該レンズ部を挟んで発光源とは反対側の端部に、発光源から照射された光を反射可能な反射壁部を備えたことを特徴とする請求項１に記載の遊技機である。
【０００９】
請求項３に記載のものは、前記反射部は、収容空間部の区画壁に配置される反射シートで構成されたことを特徴とする請求項１または請求項２に記載の遊技機である。
【００１０】
請求項４に記載のものは、前記装飾部材を複数連接し、隣り合う装飾部材の透光カバー部の連接部分の裏側にカバー接続部材を配置し、該カバー接続部材の表面には、反射処理を施すとともに、皺状凹凸部を形成したことを特徴とする請求項１から請求項３のいずれかに記載の遊技機である。
【発明の効果】
【００１１】
本発明によれば、以下のような優れた効果を奏する。
請求項１に記載の発明によれば、装飾部材は、長尺なベース部と、該ベース部の表側に配置された長尺なレンズ部と、該レンズ部を覆う状態でベース部材に止着された透光カバー部と、ベース部の長手方向の両端部のうち少なくとも一端部に配置され、光をレンズ部側へ向けて照射可能な発光源とを備え、ベース部は、その表側を凹ませてレンズ部を収容する収容空間部を形成し、該収容空間部の区画壁には、反射処理が施されるとともに、皺状凹凸部が形成された反射部を備え、レンズ部は、当該レンズ部の裏側に複数の光入出射面を反射部に対向する状態で形成し、表側に複数の切欠溝部を形成するとともに、この複数の切欠溝部をレンズ部の長手方向に並べた状態に配置し、隣り合う切欠溝部のうちレンズ部の長手方向の端部寄りに位置する切欠溝部の深さを、レンズ部の長手方向の中央寄りに位置する切欠溝部の深さよりも浅く設定したので、発光源からの光を装飾部材の内部全体に亘って照射したり、レンズ部および反射部を介して光を様々な角度に散乱した状態で外方へ照射したりすることができる。したがって、装飾部材で煌びやかな発光を行うことができ、装飾効果の向上を図ることができる。また、反射部により遊技店内の照明からの光を遊技機の外方へ向けて反射することができる。したがって、発光源を発光していない状態であっても華やかな装飾を行うことができ、発光源の状態に拘らず遊技者を惹き付け易い遊技機を実現することができる。
【００１２】
請求項２に記載の発明によれば、レンズ部は、当該レンズ部を挟んで発光源とは反対側の端部に、発光源から照射された光を反射可能な反射壁部を備えたので、レンズ部の両端部に発光源を配置していない場合であっても、レンズ部の両端部から光を照射することができ、装飾効果の高い装飾部材の製造コストを低く抑えることができる。
【００１３】
請求項３に記載の発明によれば、反射部を収容空間部の区画壁に配置される反射シートで構成したので、反射シートを別個準備した異なるデザインの反射シートに交換すれば、反射部のデザイン変更を容易に行うことができる。したがって、遊技機のテーマ等に合わせて装飾部材の装飾態様を簡単に変更することができる。
【００１４】
請求項４に記載の発明によれば、装飾部材を複数連接し、隣り合う装飾部材の透光カバー部の連接部分の裏側にカバー接続部材を配置し、該カバー接続部材の表面には、反射処理を施すとともに、皺状凹凸部を形成したので、装飾部材の継ぎ目を目立たないように構成することができ、且つ、装飾部材の継ぎ目部分にも光を反射させる機能を備えることができる。したがって、複数の装飾部材を連接して備えた遊技機の装飾性が減衰する不都合を抑えることができる。
【発明を実施するための最良の形態】
【００１５】
以下、代表的な遊技機であるパチンコ遊技機を例に挙げて本発明の実施の最良の形態を図面に基づき説明する。図１はパチンコ遊技機の正面図である。
パチンコ遊技機１は、外枠（機枠あるいは本体枠）２に前面枠（内枠）３を開閉可能に軸着し、この前面枠３内に矩形状の遊技盤５を収納可能とし、遊技盤５の前面には、ガイドレール６および区画部材（サイドケース）７を配置して略円形状の遊技領域８を区画形成し、該遊技領域８内に表示装置や入賞口等の役物（いずれも図示せず）を配設している。また、前面枠３の前面側には、一側（図１中左側）が軸着された前面カバー部材（透明部材保持枠）１０を開閉（回動）可能に設け、該前面カバー部材１０には遊技領域８を前方へ臨ませる開口部１１を開設するとともに、該開口部１１を透視可能な透明部材１２で閉塞し、前面カバー部材１０を閉じると、遊技盤５が前面カバー部材１０により覆われるとともに、透明部材１２が遊技領域８の前方に配置され、透明部材１２を通して遊技領域８を前方から視認できるように構成している。さらに、前面カバー部材１０の下方に上皿ユニット１４と下皿ユニット１５とを左右に少し位置をずらした状態で上下に設け、下皿ユニット１５の左側に灰皿１６を備え、下皿ユニット１５の右側に、発射装置（図示せず）を操作するための発射操作ユニット（発射操作ハンドル）１８を備えている。
【００１６】
また、上皿ユニット１４と下皿ユニット１５との間、および前面カバー部材１０の上側両隅部には、遊技状態に応じて音を発生するスピーカー２０ａ，２０ｂを配置している。さらに、前面カバー部材１０の上辺部には、装飾模様や遊技に関する文字情報（例えば、「大当り」や「ＶＶＶ」）を表示可能な横長な照明ユニット２１を開口部１１の上縁部に沿って備え、該照明ユニット２１の端部（図１中右端部）、前面カバー部材１０の開状態や遊技におけるエラー状態を発光により報知する報知ランプ２２を配置している。
【００１７】
そして、前面カバー部材１０の左右両側辺部には、図２に示すように、縦長なカバー装飾部材２５（本発明における装飾部材の一種）を上下に複数（本実施形態では２つ）連接し、この連接状態で照明ユニット２１の左右両端部から開口部１１の側縁部に沿って下方へ延設している。また、前面カバー部材１０の下辺部には、球貸用操作スイッチ２６および返却用操作スイッチ２７を備えている。そして、パチンコ遊技機１の側方に配置されたカードユニット（図示せず）にプリペイドカード等の記憶媒体を挿入し、この状態で球貸用操作スイッチ２６を操作すると、前面枠３の裏側に設けられた球排出装置（図示せず）が作動して遊技球が上皿ユニット１４に排出され、返却用操作スイッチ２７を操作すると、カードユニット内の記憶媒体が返却される。
【００１８】
さらに、上皿ユニット１４の前縁部であってスピーカー２０ａの上方には、図１に示すように、円弧状の第１上皿装飾部材３０（本発明における装飾部材の一種）を配置し、該第１上皿装飾部材３０の後端部（左端部）を前面カバー部材１０の左下側に位置するカバー装飾部材２５の下端部の下方に配置し、右側の上下のカバー装飾部材２５と第１上皿装飾部材３０とでパチンコ遊技機１の前面側の一側（図１中左側）に一連の湾曲した帯状装飾を施すように構成されている。さらに、上皿ユニット１４の下縁部であってスピーカー２０ａの側方（図１中右側方）には、円弧状の第２上皿装飾部材３１を配置し、該第２上皿装飾部材３１の上端部（右端部）を前面カバー部材１０の右下側に位置するカバー装飾部材２５の下端部の下方に配置し、右側の上下のカバー装飾部材２５と第２上皿装飾部材３１とでパチンコ遊技機１の前面側の他側（図１中右側）に一連の湾曲した帯状装飾を施すように構成されている。
【００１９】
次に、カバー装飾部材２５について説明する。
カバー装飾部材２５は、図３および図４に示すように、前面カバー部材１０に取り付けるための長尺なベース部３４と、該ベース部３４の表側となる前面側に配置されたレンズ部３５と、該レンズ部３５を覆う透光カバー部３６と、ベース部３４の長手方向の上下両端部に配置され、発光源３７を実装した発光ユニット３８を備えて構成されている。ベース部３４は、その表側となる前面を後方へ凹ませて前方を開放した収容空間部３９を縦長に形成し、該収容空間部３９内にレンズ部３５を収容できるように構成している。また、収容空間部３９の区画壁３９ａをその断面が略放物線状を呈するように形成し（図５（ｂ）参照）、この区画壁３９ａには、光を前方へ反射可能な反射部４２を備えている。反射部４２は、皺状凹凸部、具体的には複数の極めて短尺な溝および突条を不規則に並べたり交差したりして密集した状態に配置した表面凹凸部を形成し、該皺状凹凸部の表面に金属メッキ等の反射処理を施して、収容空間部３９内に入射した光を反射できるように構成されている。
【００２０】
レンズ部３５は、透光性部材（例えば、無色透明な合成樹脂）で形成された長尺な部材であり、図５に示すように、ベース部３４の収容空間部３９内に反射部４２から僅かに離れた状態で配置されている。また、レンズ部３５の裏側となる後側部には、複数の光入出射面４５を反射部４２に対向する状態で形成している。なお、本実施形態では、レンズ部３５の後側部に２つの光入出射面４５を形成し、レンズ部３５の断面が五角形状に形成されるように設定されている（図５（ｂ）参照）。そして、レンズ部３５の表側となる前側部には、複数の切欠溝部４６を形成するとともに、この複数の切欠溝部４６をレンズ部３５の長手方向に並べた状態に配置している（図５（ａ）参照）。切欠溝部４６は、側方から見て略倒Ｖ字状に切り欠いた状態で形成された溝部であり、その谷部（すなわち切欠溝部４６のうち最も深い部分）をレンズ部３５の上下方向の中央寄りに設定している。したがって、レンズ部３５の上側に形成された切欠溝部４６は、その谷部を下寄りに配置し、谷部の上側の切欠面を下側の切欠面よりも上下に広く設定して、切欠溝部４６から出射する光のうち、上寄りの光量が下寄りの光量よりも多くなり易いように構成されている。また、レンズ部３５の下側に形成された切欠溝部４６は、その谷部を上寄りに配置し、谷部の下側の切欠面を上側の切欠面よりも上下に広く設定し、切欠溝部４６から出射する光のうち、下寄りの光量が上寄りの光量よりも多くなり易いように構成されている。
【００２１】
さらに、上下に隣り合う切欠溝部４６のうち、レンズ部３５の長手方向の端部寄りに位置する切欠溝部４６の深さ（谷部の深さ）を、レンズ部３５の長手方向の中央寄りに位置する切欠溝部４６の深さ（谷部の深さ）よりも浅く設定している。これにより、レンズ部３５の上側においては、上下に並んだ複数の切欠溝部４６の谷部の深さをレンズ部３５の上端部へ向かうにしたがって次第に浅く設定して、レンズ部３５（具体的には、切欠溝部４６のうち谷部よりも上側の切欠面）から照射される光をレンズ部３５の上端部へ近づくにしたがって次第に前方へ向けて照射し易いように構成している。一方、レンズ部３５の下側においては、上下に並んだ複数の切欠溝部４６の谷部の深さをレンズ部３５の下端部へ向かうにしたがって次第に浅く設定して、レンズ部３５（具体的には、切欠溝部４６のうち谷部よりも下側の切欠面）から照射される光をレンズ部３５の下端部へ近づくにしたがって次第に前方へ向けて照射し易いように構成している。
【００２２】
また、レンズ部３５の上下両端部の後側には、係止爪４８を後方へ向けて突設し、該係止爪４８をベース部３４の後側に止着されるレンズ止着具４９に係止して、ベース部３４にレンズ部３５を止着できるように構成されている。なお、レンズ止着具４９は、ベース部３４の後側に突設した止着ボス５０（図４参照）と後述する発光ユニット３８の一部との間に挟まれる状態で止着されている。さらに、レンズ部３５の上下両端部の前側には、スペーサ５１を前方へ向けて突設し、スペーサ５１の前端を透光カバー部３６の裏面側の近傍に配置し、透光カバー部３６とレンズ部３５との間に空間部５２を確保している（図５（ａ）参照）。そして、この空間部５２を形成することにより透光カバー部３６とレンズ部３５とが接触して損傷することを防ぐとともに、空間部５２においてレンズ部３５の切欠溝部４６から出射された光を十分に拡散し、この拡散状態で光を透光カバー部３６の裏面側全体へ照射できるように構成されている。
【００２３】
透光カバー部３６は、透光性部材（例えば、有色透明な合成樹脂）で形成され、ベース部３４と略同じ長さに設定された長尺な部材であり、透光カバー部３６の前面側を前方へ膨出させた状態で形成されている（図５（ｂ）参照）。また、左右両縁部の上下両側には係止部５４を後方へ向けて延設し、該係止部５４をベース部３４の側部に備えた係止受部５５に係止すると、透光カバー部３６が収容空間部３９の前方開放部分を前方から覆う状態でベース部３４に止着される。
【００２４】
発光ユニット３８は、図３および図４に示すように、ＬＥＤ等の発光源３７と、該発光源３７およびコネクタ５７を実装する発光基板５８と、発光基板５８を保持する基板ホルダ５９と、該基板ホルダ５９に保持された発光基板５８を覆う基板カバー６０とから構成されている。そして、基板ホルダ５９と基板カバー６０との間に発光基板５８を発光源３７が基板ホルダ５９側に位置する状態で挟持し、基板ホルダ５９をベース部３４の端部に対向する状態で配置されている。
【００２５】
また、基板ホルダ５９のうちベース部３４の収容空間部３９に臨む部分、詳しくは収容空間部３９に収容されたレンズ部３５の端部に対向する部分に第１突出開口６１を開設し、該第１突出開口６１から発光源３７をレンズ部３５側へ向けて突出し、発光源３７の先端をレンズ部３５の端部に当接あるいは近接している（図５（ａ）および図６参照）。さらに、第１突出開口６１の後方に第２突出開口６２を開設し、該第２突出開口６２から発光基板５８のコネクタ５７を突出し、該コネクタ５７を介して発光基板５８と電源供給部（図示せず）とを接続できるように構成されている。そして、第１突出開口６１と第２突出開口６２との間には、発光ユニット３８をベース部３４へ止着するための止着片６３をベース部３４の中央部分へ向けて延設し、ビス等の止着部材（図示せず）により止着片６３の先端部をベース部３４の止着ボス５０へ止着している。なお、止着片６３は、その基部に係合突起６４を突設し、該係合突起６４をレンズ止着具４９に係合して、レンズ部３５と発光ユニット３８（詳しくは発光ユニット３８の発光源３７）との位置決めを行えるように構成されている。また、本実施形態では、発光源３７としてフルカラーＬＥＤを採用し、遊技状態に応じて発光色を変化できるように構成されている。
【００２６】
このような構成のカバー装飾部材２５を備え、発光源３７を発光すると、この発光源３７は、光をレンズ部３５の端部から内側へ向けて照射する。すると、この光は、レンズ部３５内を拡散してレンズ部３５の前側の切欠溝部４６、後側の光入出射面４５、および側面部から出射する（図５（ｂ）参照）。そして、切欠溝部４６から出射する光は、切欠溝部４６の上下位置によって光量や光の向きを異ならせて透光カバー部３６を透過して前方へ照射される。また、光入出射面４５および側面部から出射する光は、収容空間部３９の反射部４２に到達し、該反射部４２の皺状凹凸部により様々な方向へ反射されて収容空間部３９の全体に拡散する。そして、直接透光カバー部３６を透過したり、あるいは反射部４２での再反射やレンズ部３５への入射およびレンズ部３５からの出射を繰り返した後に透光カバー部３６を透過したりしてカバー装飾部材２５の前方へ照射される。したがって、発光源３７からの光をカバー装飾部材２５の内部全体に亘って照射したり、レンズ部３５および反射部４２を介して光を様々な角度に散乱した状態で前方へ照射したりすることができる。この結果、カバー装飾部材２５で煌びやかな発光を行うことができ、装飾効果の向上を図ることができる。
【００２７】
また、発光源３７からの発光を止めた場合には、カバー装飾部材２５は、遊技店内の照明からの光を透光カバー部３６を通して収容空間部３９内に導入し、反射部４２の皺状凹凸部で反射したりレンズ部３５に対して入出射したりして、収容空間部３９の全体に拡散させることができる。そして、収容空間部３９内に拡散した光を反射部４２によりパチンコ遊技機１の前方へ向けて反射することができる。したがって、発光源３７を発光していない状態であっても華やかな装飾を行うことができ、発光源３７の状態に拘らず遊技者を惹き付け易いパチンコ遊技機１を実現することができる。
【００２８】
ところで、上記したカバー装飾部材２５は、その両端部に発光源３７を配置したが、本発明における装飾部材はこれに限定されない。例えば、上皿ユニット１４に取り付けられた第１上皿装飾部材３０は、その一端部にのみ発光源を配置している。
具体的に説明すると、第１上皿装飾部材３０は、図７および図８に示すように、上皿ユニット１４に取り付けるための長尺なベース部６８と、該ベース部６８の表側となる上面側に配置されたレンズ部６９と、該レンズ部６９を覆う透光カバー部７０と、ベース部６８の長手方向の一端部（図７中左後端部）に配置され、発光源７１を実装した発光ユニット７２を備えて構成されている。ベース部６８は、一端部（左後端部）から前方へ向かうにしたがって側方（図７中右側方）へ湾曲する状態に形成された部材であり、その表側となる上面を下方へ凹ませて上方を開放した収容空間部７４を円弧状に形成し、該収容空間部７４内にレンズ部６９を収容できるように構成している。また、収容空間部７４の区画壁７４ａをその断面が略放物線状を呈するように形成し、この区画壁７４ａには、光を上方へ反射可能な反射部７５を備えている。反射部７５は、皺状凹凸部、具体的には複数の極めて短尺な溝および突条を不規則に並べたり交差したりして密集した状態に配置した表面凹凸部を形成し、該皺状凹凸部の表面に金属メッキ等の反射処理を施して、収容空間部７４内に入射した光を反射できるように構成されている。なお、皺状凹凸部は、例えば、アルミ箔を一旦丸めて塊にした後に展開してシワシワになった状態のように見える。
【００２９】
レンズ部６９は、透光性部材（例えば、無色透明な合成樹脂）で形成された長尺な部材であり、ベース部６８に沿って湾曲した状態に設定され、ベース部６８の収容空間部７４内に反射部７５から僅かに離れた状態で配置されている。また、レンズ部６９の裏側となる下側部には、複数の光入出射面７８を反射部７５に対向する状態で形成し、レンズ部６９の表側となる上側部には、複数の切欠溝部７９をレンズ部６９の長手方向（湾曲方向）に沿って並ぶ状態形成している。切欠溝部７９は、湾曲方向と直交する方向から見て略Ｖ字状に切り欠いた状態で形成された溝部であり、その谷部（すなわち切欠溝部７９のうち最も深い部分）をレンズ部６９の端部寄り（図８中右端部寄り）に設定している。したがって、レンズ部６９の切欠溝部７９は、谷部を形成する２つの切欠面のうち、湾曲方向の一側（図７中左側）に位置する切欠面を他側（図７中右側）に位置する切欠面よりも広く設定して、切欠溝部７９から出射する光のうち、一側寄りの光量が他側寄りの光量よりも多くなり易いように構成されている。
【００３０】
さらに、湾曲方向に沿って隣り合う切欠溝部７９のうち、レンズ部６９の湾曲方向の端部寄り（図７中左後端部寄り）に位置する切欠溝部７９の深さ（谷部の深さ）を、レンズ部６９の湾曲方向の中央寄り、言い換えると右前端部寄りに位置する切欠溝部７９の深さ（谷部の深さ）よりも浅く設定している。これにより、複数の切欠溝部７９の谷部の深さをレンズ部６９の左端部へ向かうにしたがって次第に浅く設定して、レンズ部６９（具体的には、切欠溝部７９のうち谷部よりも左側の切欠面）から照射される光をレンズ部６９の左後端部へ近づくにしたがって次第に上方へ向けて照射し易いように構成している。
【００３１】
また、レンズ部６９の両側寄りの下側には、係止爪８１を下方へ向けて突設し、該係止爪８１をベース部６８の区画壁７４ａに開設された貫通孔８２へ挿通し、この挿通状態でベース部６８の下側に止着されるレンズ止着具８３に係止して、ベース部６８にレンズ部６９を止着できるように構成されている。さらに、レンズ部６９の左後端部の上側には、スペーサ８５を前方へ向けて突設し、スペーサ８５の前端を透光カバー部７０の裏面側の近傍に配置し、透光カバー部７０とレンズ部６９との間に隙間（空間部）を確保し、透光カバー部７０とレンズ部６９とが接触して損傷することを防いでいる。さらに、透光カバー部７０とレンズ部６９との間において切欠溝部７９から出射された光を十分に拡散し、この拡散状態で光を透光カバー部７０の裏面側全体へ照射できるように構成されている。なお、レンズ部６９の右端部の構成については、後で詳細に説明する。
【００３２】
透光カバー部７０は、透光性部材（例えば、有色透明な合成樹脂）で形成され、ベース部６８と略同じ湾曲状態に設定された長尺な部材であり、透光カバー部７０の上面側を上方へ膨出させた状態で形成されている。また、透光カバー部７０の縁部に係止部８７を下方へ向けて延設し、該係止部８７をベース部６８の側部に備えた係止受部８８に係止すると、透光カバー部７０が収容空間部７４の上方開放部分を上方から覆う状態でベース部６８に止着される。
【００３３】
発光ユニット７２は、ＬＥＤ等の発光源７１と、該発光源７１およびコネクタ９０を実装する発光基板９１と、発光基板９１を保持する基板ホルダ９２と、該基板ホルダ９２に保持された発光基板９１を覆う基板カバー９３とから構成されている。そして、基板ホルダ９２と基板カバー９３との間に発光基板９１を挟持し、基板ホルダ９２の第１突出開口９５から発光源７１を突出し、第２突出開口９６からコネクタ９０を突出し、この突出状態で発光源７１が配置された部分（図７中上側部分）をベース部６８の貫通孔８２へ挿入して、発光源７１をレンズ部６９の左後端部に当接あるいは近接している。また、第１突出開口９５と第２突出開口９６との間には、発光ユニット７２をベース部６８へ止着するための止着片９７をベース部６８の中央部分へ向けて延設し、ビス等の止着部材（図示せず）により止着片９７の先端部をベース部６８の下側へ止着している。なお、止着片９７は、その基部に係合突起９８を突設し、該係合突起９８をレンズ止着具８３に係合して、レンズ部６９と発光ユニット７２（詳しくは発光ユニット７２の発光源７１）との位置決めを行えるように構成されている。また、本実施形態では、発光源７１としてフルカラーＬＥＤを採用し、遊技状態に応じて発光色を変化できるように構成されている。
【００３４】
そして、第１上皿装飾部材３０は、レンズ部６９の右端部、すなわちレンズ部６９を挟んで発光ユニット７２（発光源７１）とは反対側の端部に湾曲した反射壁部１００を上方へ突設した状態で備えている（図８参照）。反射壁部１００は、透光性部材（例えば、無色透明な合成樹脂）でレンズ部６９に一体成型され、発光源７１からの光を反射可能な壁部であり、切欠溝部７９のうち反射壁部１００とは反対側（図８中左側）に位置する切欠面、言い換えると反射壁部１００側へ向けて下り傾斜した切欠面に対向し得る程度の大きさに設定されている。また、反射壁部１００の後側部をベース部６８の区画壁７４ａに当接し、収容空間部７４内にレンズ部６９を安定して配置する機能を備えている。
【００３５】
このような構成の第１上皿装飾部材３０を備えて、発光源７１を発光すると、この発光源７１は、光をレンズ部６９の端部から内側へ向けて照射する。すると、この光は、レンズ部６９内を拡散してレンズ部６９の切欠溝部７９、光入出射面７８等から出射する。さらに、そして、直接透光カバー部７０を透過したり、あるいは反射部７５での再反射やレンズ部６９への入射およびレンズ部６９からの出射を繰り返した後に透光カバー部７０を透過したりして第１上皿装飾部材３０の上方へ照射される。したがって、発光源７１からの光を第１上皿装飾部材３０の内部全体に亘って照射したり、レンズ部６９および反射部７５を介して光を様々な角度に散乱した状態で上方へ照射したりすることができる。この結果、第１上皿装飾部材３０で煌びやかな発光を行うことができ、装飾効果の向上を図ることができる。
【００３６】
また、レンズ部６９の右端部において、図８（ｂ）に示すように、発光源７１から照射されて切欠溝部７９（具体的には、切欠溝部７９のうち反射壁部１００とは反対側に位置する切欠面）から出射した光を反射壁部１００により反射する。したがって、レンズ部６９の両端部に発光源７１を配置していない装飾部材であっても、レンズ部６９の両端部から光を照射することができ、装飾効果の高い装飾部材の製造コストを低く抑えることができる。なお、反射壁部１００のうち切欠溝部７９とは反対側に位置する側面に薄肉の金属フィルムを貼付したり、あるいは反射壁部１００の全体に金属メッキ処理等の反射処理を施したりすれば、発光源７１からの光を一層反射し易くなるので好適である。
【００３７】
さらに、発光源７１からの発光を止めた場合には、第１上皿装飾部材３０は、遊技店内の照明からの光を透光カバー部７０を通して収容空間部７４内に導入し、反射部７５の皺状凹凸部で反射したりレンズ部６９に対して入出射したりして、収容空間部７４の全体に拡散させることができる。そして、収容空間部７４内に拡散した光を反射部７５によりパチンコ遊技機１の外方（具体的には、前面カバー部材１０の前方）へ向けて反射することができる。したがって、発光源７１を発光していない状態であっても華やかな装飾を行うことができ、発光源７１の状態に拘らず遊技者を惹き付け易いパチンコ遊技機１を実現することができる。
【００３８】
ところで、上記実施形態では、収容空間部３９の区画壁３９ａ、あるいは収容空間部７４の区画壁７４ａに、直接に反射処理を施すとともに皺状凹凸部を形成したが、本発明はこれに限定されず、反射部を区画壁３９ａ，７４ａ（すなわちベース部３４，６８）とは別個の部材で構成してもよい。例えば、図９に示すように、カバー装飾部材２５の収容空間部３９の区画壁３９ａに反射処理および皺状凹凸部の形成を施さず、その代りに、表面に反射処理および皺状凹凸部の形成を施した反射シート１０２を準備し、この反射シート１０２を区画壁３９ａの内側に配置して反射部７５を構成してもよい。このようにして反射部７５（反射シート１０２）をベース部３４から分離可能な状態で備えると、反射シート１０２を別個準備した異なるデザインの反射シート１０２に交換すれば、反射部７５のデザイン変更を容易に行うことができる。したがって、パチンコ遊技機１のデザインテーマ等に合わせて装飾部材の装飾態様を簡単に変更することができる。
【００３９】
なお、反射シート１０２の基材を薄肉のプラスチックフィルムで構成し、ベース部３４に取り付ける際に、区画壁３９ａの曲面に馴染ませるように曲げながら配置（または貼付）してもよい。あるいは、反射シート１０２の基材を予め収容空間部３９の区画壁３９ａの曲面に合わせて湾曲させた金属板やプラスチック板で構成し、ベース部３４に取り付ける際に、収容空間部３９内に嵌め込むようにして装着してもよい。
【００４０】
また、上記実施形態では、前面カバー部材１０に備えたカバー装飾部材２５を上下に複数連接したが、この連接して隣り合うカバー装飾部材２５のうち、透光カバー部３６の連接部分の裏側にカバー接続部材（図示せず）を配置してもよい。さらに、カバー接続部材の表面に、金属メッキ等の反射処理を施すとともに、皺状凹凸部を形成してもよい。このようなカバー接続部材を透光カバー部３６の連接部分の裏側に設ければ、カバー装飾部材２５の継ぎ目を目立たないように構成することができ、且つ、カバー装飾部材２５の継ぎ目部分にも光を反射させる機能を備えることができる。したがって、複数の装飾部材を連接して備えたパチンコ遊技機１の装飾性が減衰する不都合を抑えることができる。
【００４１】
そして、上記実施形態では、レンズ部３５，６９に２面の光入出射面４５，７８を形成したが、本発明はこれに限定されず、レンズ部３５，６９の裏側から出射する光を多方向へ拡散できる構成であればよく、３面以上の光入出射面４５，７８を備えてもよい。また、切欠溝部４６，７９の形状は略Ｖ字状に限定されない。要は、隣り合う切欠溝部４６，７９のうち、レンズ部３５，６９の長手方向の端部寄りに位置する切欠溝部４６，７９の深さが、レンズ部３５，６９の長手方向の中央寄りに位置する切欠溝部４６，７９の深さよりも浅く設定されれば、どのような形状の切欠溝部４６，７９であってもよい。
【００４２】
上記した実施形態は、代表的な遊技機であるパチンコ遊技機１を例に挙げて説明したが、本発明はこれに限らず、前面カバー部材の上部に配置される照明ユニットを備えた遊技機であればどのような遊技機でもよい。例えば、内部に封入した遊技球を循環させる封入球式パチンコ機、アレンジボール式遊技機、雀球式遊技機等の遊技機であってもよい。
【００４３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４４】
【図１】パチンコ遊技機の正面図である。
【図２】前面カバー部材の斜視図である。
【図３】カバー装飾部材の前方から見た分解斜視図である。
【図４】カバー装飾部材の後方から見た分解斜視図である。
【図５】（ａ）はカバー装飾部材の長手方向の断面図、（ｂ）は長手方向と直交する方向の断面図である。
【図６】透光カバー部を取り外した状態のカバー装飾部材の説明図であり、（ａ）は正面図、（ｂ）は上下両端部の拡大斜視図である。
【図７】第１上皿装飾部材の分解斜視図である。
【図８】透光カバー部を取り外した状態の第１上皿装飾部材の説明図であり、（ａ）は斜視図、（ｂ）は反射壁部周辺の拡大斜視図である。
【図９】反射シートを備えたカバー装飾部材の前方から見た分解斜視図である。
【符号の説明】
【００４５】
１  パチンコ遊技機
１０  前面カバー部材
１２  透明部材
１４  上皿ユニット
１５  下皿ユニット
２１  照明ユニット
２２  報知ランプ
２５  カバー装飾部材
３０  第１上皿装飾部材
３１  第２上皿装飾部材
３４  ベース部
３５  レンズ部
３６  透光カバー部
３７  発光源
３８  発光ユニット
３９  収容空間部
３９ａ  区画壁
４２  反射部
４５  光入出射面
４６  切欠溝部
５８  発光基板
５９  基板ホルダ
６０  基板カバー
６８  ベース部
６９  レンズ部
７０  透光カバー部
７１  発光源
７２  発光ユニット
７４  収容空間部
７４ａ  区画壁
７５  反射部
７８  光入出射面
７９  切欠溝部
９１  発光基板
９２  基板ホルダ
９３  基板カバー
１００  反射壁部
１０２  反射シート
【図１】
2007275222.tif 000003
【図２】
2007275222.tif 000004
【図３】
2007275222.tif 000005
【図４】
2007275222.tif 000006
【図５】
2007275222.tif 000007
【図６】
2007275222.tif 000008
【図７】
2007275222.tif 000009
【図８】
2007275222.tif 000010
【図９】
2007275222.tif 000011